(57)【要約】【課題】簡単な構造で、かつ破損しにくい法枠部材及び法面の構造及び法面保護方法を提供すること。【解決手段】法面３を保護するために設置する法枠部材１であって、短冊状材料の長手方向と略直交する横断面を円弧状に成形し、前記短冊状材料を折り曲げて頂部１３を形成し、該短冊状材料の両端付近をさらに内側に折り曲げて曲折部１４を形成し、前記頂部１３から前記曲折部１４までを本体部１１、前記曲折部１４から端部までを重複部１２としたことを特徴とするものである。【選択図】　　　　図１
2004076261.tif 000002
【特許請求の範囲】
【請求項１】
法面を保護するために設置する法枠部材であって、
短冊状材料を折り曲げて頂部を形成し、該短冊状材料の両端付近をさらに内側に折り曲げて曲折部を形成し、
前記頂部から前記曲折部までを本体部、前記曲折部から端部までを重複部としたことを特徴とする、
法枠部材。
【請求項２】
請求項１に記載の法枠部材において、前記短冊状材料の長手方向と略直交する横断面を円弧状に成形したことを特徴とする、
法枠部材。
【請求項３】
請求項２に記載の法枠部材において、
前記短冊状材料に成形した円弧状断面の端部間を接続する拘束具を、前記短冊状材料の長手方向に所定の間隔をおいて配置したことを特徴とする、
法枠部材。
【請求項４】
請求項１乃至３のいずれかに記載の法枠部材を法面の上下左右方向に複数配置した法面の構造であって、
下方に配置した法枠部材の前記本体部の上方に、他の法枠部材の前記重複部を重ね合わせることを特徴とする、
法面の構造。
【請求項５】
請求項１乃至３のいずれかに記載の法枠部材の前記曲折部が、隣接する他の請求項１乃至３のいずれかに記載の法枠部材の前記曲折部と対向するように法面の下段に複数の法枠部材を配置し、
下段に配置した隣接する２つの法枠部材の頂部付近の前記本体部に、法枠部材の前記重複部がそれぞれ重なるように上段の法枠部材を配置し、
上段に配置された法枠部材とその下段に配置された法枠部材に囲まれた空間に植生基盤材を配置する、
法面保護方法。
【請求項６】
請求項５に記載した法面保護方法において、
下段に配置した法枠部材とその上段に配置した２つの法枠部材を、下段の法枠部材の頂部付近に打ち込んだ１本のアンカーピンで連結したことを特徴とする、
法面保護方法。
【発明の詳細な説明】
【０００１】
【発明の属する技術分野】
本発明は、法面を保護するために配置する法枠部材及び法面の構造及び法面保護方法に関するものである。
【０００２】
【従来の技術】
従来から法面を保護するために、法面に固定した法枠内に植生基盤材を配置する方法が実施されている。
植生基盤材とは、有機質あるいは無機質の基材、例えばバーク堆肥、ピートモス、砂、土、肥料、客土など植物の生育に必要な材料をいう。この植生基盤材を吹き付けによって配置するには、これらの材料と、高分子系樹脂やアスファルト乳剤などの接合剤、種子、水を混合して、モルタル吹付け用ガンなどによって法面に吹き付ける。また、植生基盤材を土嚢袋等に充填して配置する方法もある。そして、この植生基盤材の滑落や侵食を防止するために配置する法枠は、帯状又は短冊状の金網又はエキスパンドメタル等を組み合わせて構築する。
【０００３】
【本発明が解決しようとする課題】
前記した従来の法面保護方法にあっては、次のような問題点がある。
＜イ＞従来から使用されている法枠は、多くの部材を組み合わせて構築するものが一般的である。このため、組み立て手間や材料費がかかる。
＜ロ＞法枠を構成する金網等は、平板状の材料が使用される。この平板状の金網等を法面に対して垂直に配置すると、植生基盤材の重みで金網等が撓んだり、変形したりして、法枠と配置した植生基盤材の間に隙間ができることがある。隙間ができるとそこから雨水などが浸入して侵食されやすくなる。
＜ハ＞法枠で囲まれる空間の平面形状を三角形や円形とする従来例もあるが、法枠内に土嚢を配置する場合は配列が難しい。
【０００４】
【本発明の目的】
本発明は上記したような従来の問題を解決するためになされたもので、簡単な構造で、かつ破損しにくい法枠部材及び法面の構造及び法面保護方法を提供することを目的とする。
また、植生基盤材の法面への定着性を向上できる法枠部材及び法面の構造及び法面保護方法を提供することを目的とする。
さらに、少ない材料で容易に構築できる法面の構造及び法面保護方法を提供することを目的とする。
本発明は、これらの目的の少なくとも一つを達成するものである。
【０００５】
【課題を解決するための手段】
上記のような目的を達成するために、本発明の法枠部材は、法面を保護するために設置する法枠部材であって、短冊状材料を折り曲げて頂部を形成し、該短冊状材料の両端付近をさらに内側に折り曲げて曲折部を形成し、前記頂部から前記曲折部までを本体部、前記曲折部から端部までを重複部としたことを特徴とするものである。ここで、前記短冊状材料の長手方向と略直交する横断面を円弧状に成形することが好ましい。また、前記短冊状材料に成形した円弧状断面の端部間を接続する拘束具を、前記短冊状材料の長手方向に所定の間隔をおいて配置することができる。
【０００６】
また、本発明の法面の構造は、上記の法枠部材を法面の上下左右方向に複数配置した法面の構造であって、下方に配置した法枠部材の前記本体部の上方に、他の法枠部材の前記重複部を重ね合わせることを特徴とする構造である。
【０００７】
そして、本発明の法面保護方法は、上記の法枠部材の前記曲折部が、隣接する他の法枠部材の前記曲折部と対向するように法面の下段に複数の法枠部材を配置し、下段に配置した隣接する２つの法枠部材の頂部付近の前記本体部に、法枠部材の前記重複部がそれぞれ重なるように上段の法枠部材を配置し、上段に配置された法枠部材とその下段に配置された法枠部材に囲まれた空間に植生基盤材を配置する方法である。ここで、下段に配置した法枠部材とその上段に配置した２つの法枠部材を、下段の法枠部材の頂部付近に打ち込んだ１本のアンカーピンで連結することができる。
【０００８】
【本発明の実施の形態】
以下、図面を参照しながら本発明の実施の形態について説明する。
【０００９】
＜イ＞適用条件
本発明は、法面３上に法枠部材１を設置して法枠を構築した法面の構造と、法面保護方法に適用する。
本発明の適用できる法面３は、例えば、岩盤法面、モルタル若しくはコンクリートが吹け付けられた法面、切土法面、盛土法面又は自然斜面などである。特に、植生基盤材４を配置して緑化する必要がある法面３に適している。
【００１０】
＜ロ＞法枠部材
法枠部材１は、法面３に設置する枠材である。
本発明の法枠部材１は、クリンプ金網や溶接金網等の金網、エキスパンドメタル、合成樹脂製ネット、有孔の板材又は穴の無い板材を短冊状に成形した材料で製作する。
法枠部材１は、長手方向と略直交する方向に曲率を設け、横断面を円弧状に成形するのが好ましい。なお、短冊状材料の剛性によっては、曲率を設けずに平面材のまま使用することもできる。また、円弧状に成形した場合は、必要に応じて円弧状断面の端部間を接続する拘束具１５を配置する。この拘束具１５によって、載荷時の円弧の広がりを拘束することができる。
【００１１】
法枠部材１には、部材の途中を折り曲げて頂部１３を形成する。図１では、円弧の凹部が内側になるように折り曲げた例を示したが、反対側に折り曲げることもできる。また、材料の特性等の理由から折り曲げ難い場合は、折り曲げる箇所に一部、切れ目を入れるなどして折り曲げをおこなう。さらに、折り曲げた箇所を補強する加工を施すこともできる。
【００１２】
また、法枠部材１の両端付近をさらに内側に折り曲げて曲折部１４を形成する。
ここで、法枠部材１の頂部１３から曲折部１４までを本体部１１、曲折部１４から端部までを重複部１２という（図１参照）。
図１に示すように頂部１３は法枠部材１のほぼ中央に形成して、頂部１３を挟む二辺の本体部１１の長さが等しくなるように加工するのが好ましい。しかし、図６に示すように左右の本体部１１の長さが異なるように形成しても本発明の法枠部材１０として使用することができる。
【００１３】
＜ハ＞法枠部材の製作方法
ここで、上記した法枠部材１の製作方法の一実施例を述べる。
最初に、平板状の法枠部材１の両端付近を折り曲げて曲折部１４を形成し、曲折部１４から端部までを重複部１２とする。
次に、重複部１２を有する短冊状の法枠部材１を半円筒型にプレスして、横断面を円弧状に成形する。
そして、図４に示すように法枠部材１のほぼ中央部をＡ方向に例えば９０度の角度になるように折り曲げて頂部１３を形成する。
通常はここまでの工程を工場等でおこなって、山型の法枠部材１を複数束ねて現地まで運搬する。
現地に運搬した後に、折り曲げてある重複部１２をＢ方向に例えば９０度や４５度に展開する（図４参照）。
また、拘束具１５を配置する場合は、例えば両端を鋭角に折り曲げた針金などからなる拘束具１５を、本体部１１の長手方向に所定の間隔をおいて引っ掛けるようにして配置する（図１参照）。図１に示した拘束具１５は円弧の広がりを抑えるための形状を有するものであるが、円弧の広がりと共に縮小も抑えることを目的とする場合は鋼棒などからなる拘束具１５の両端を溶接などして円弧状断面の端部に固定する。
上記した法枠部材１の製作方法は一例であるため、法枠部材１の材質によっては省略できる工程や、順序が異なる工程もある。
【００１４】
以下、図面を参照しながら本発明の法枠部材１を使用した法面保護方法の実施例について説明する。
【００１５】
＜イ＞法面の整形
本発明は、あらゆる法面３に適用できる。
まず、法枠部材１の設置ができるように、必要に応じて法面３を整形する。法面３には、必要に応じて金網やラス網等を敷設する。
また、法面３の表面にモルタルなどが吹き付けられている場合は、所定の間隔で直径４０ｍｍ程度の抜穴を設けるのが好ましい。この抜穴によって、後述するアンカーピン２の打設が容易となるばかりでなく、植生基盤材４への地山からの水分の供給が可能となる。また、植物の根が地山に伸びていきやすい法面の構造とすることができる。
【００１６】
＜ロ＞法枠部材の設置（図２）
法枠部材１を法面３の下段から順に配置していく。法面３に金網等が敷設してある場合は、法枠部材１を金網等に仮止めすることができる。
下段の法枠部材１ａは、曲折部１４ａが隣接する法枠部材１ａの曲折部１４ａと対向して突き合うように連続して配置する。この最下段に配置する法枠部材１ａの曲折部１４ａの角度は法尻との関係から４５度にする。
そして、曲折部１４ａ，１４ａ間を法面３に打設するアンカーピン２で連結する。ここでアンカーピン２には、頭部に門型の連結部２１を有するような特殊形状のアンカーピン２を使用するのが好ましい（図２，３参照）。
【００１７】
法面の最下段に波型に法枠部材１ａを並べたのちに、波型の谷間の上方に上段の法枠部材１ｂを配置する。ここで、上段の法枠部材１ｂの重複部１２ｂを下段の法枠部材１ａの本体部１１ａに重ね合わせる（図２，３参照）。このため、下段の法枠部材１ａの頂部１３ａ付近には、枠材が重なった箇所ができる。
そして、アンカーピン２を下段の法枠部材１ａの頂部１３ａ付近に打ち込んで、下段の法枠部材１ａと２つの上段の法枠部材１ｂ，１ｂを一度に連結する（図３参照）。すなわち、アンカーピン２の頭部に設けた連結部２１が、頂部１３ａ両側に配置された重複部１２ｂ，１２ｂを挟み込んで連結させることができる。
【００１８】
上段の法枠部材１ｂの配置が終了した後に、法枠部材１ｂを下段としてさらにその上段に法枠部材１ｃを同様に配置する。
所定の段数について法枠部材１の配置を繰り返すことによって、法枠部材１を配置した法面の構造が構築される。ここで、図１のように二等辺三角形タイプの法枠部材１を配置した場合には、菱形の升目を有する法面の構造が形成される。そして、図６のような直角三角形タイプの法枠部材１０を配置した場合には、傾斜した長方形の升目を有する法面の構造が形成される。
【００１９】
＜ハ＞植生基盤材の配置
植生基盤材４を法枠部材１で囲まれた枠内に配置する。
植生基盤材４は、モルタル吹付け用ガンなどで吹き付けることも、土嚢袋等に充填して配置することもできる（図５参照）。
円弧状の横断面を有する法枠部材１を使用する場合は構造的に強いため、植生基盤材４の重みにも耐えることができる。
【００２０】
【本発明の効果】
本発明の法枠部材及び法面の構造及び法面保護方法は、以上説明したようになるから次のような効果を得ることができる。
＜イ＞横断面が円弧状の構造的に優れた法枠部材を使用する場合は、破損しにくく植生基盤材の滑落荷重に充分耐えることができる。この結果、植生基盤材の法面への定着性を向上できる。
＜ロ＞軽量で取り扱い易い法枠部材を組み合わせて法枠を構築する。このため、容易に法枠を構築することができる。
＜ハ＞法枠部材の端部に形成した重複部が重なるだけであり、一本のアンカーピンで３つの法枠部材を固定できるので、少ない材料で法枠を構築できる。
【図面の簡単な説明】
【図１】本発明の法枠部材の実施例の斜視図。
【図２】法面に法枠部材を配置する手順を示した説明図。
【図３】複数の法枠部材の接点部の実施例の拡大斜視図。
【図４】法枠部材を製作する手順を示した説明図。
【図５】法枠の内部に植生基盤材を配置した実施例の斜視図。
【図６】直角三角形タイプの法枠部材の実施例の斜視図。
【符号の説明】
１・・・法枠部材
１０・・法枠部材
１１・・本体部
１２・・重複部
１３・・頂部
１４・・曲折部
１５・・拘束具
２・・・アンカーピン
３・・・法面
４・・・植生基盤材
【図１】
2004076261.tif 000003
【図２】
2004076261.tif 000004
【図３】
2004076261.tif 000005
【図４】
2004076261.tif 000006
【図５】
2004076261.tif 000007
【図６】
2004076261.tif 000008